(57)【要約】【課題】蓋の昇降機構を備えていない食器洗浄機を提供すること。【解決手段】  食器洗浄機１は、筐体３、洗浄槽４、及び固定蓋５を備えている。洗浄槽４は、筐体３に収容されている収容位置と収容されていない非収容位置との間でスライド可能であり、上部が開口している。固定蓋５は、筐体３に固定されており、洗浄槽４が収容位置に収容されたときに洗浄槽４の上部開口を覆うように配置されている。洗浄槽４が収容位置に収容されているときに、洗浄槽４の上部開口の周縁の少なくとも一部に沿って、洗浄槽４に設けられている突出部７ａの突起が、固定蓋５に設けられている溝形成部７ｂの溝に入り込む。【選択図】図９
2014046149.tif 000002
【特許請求の範囲】
【請求項１】
筐体と、
前記筐体に収容されている収容位置と収容されていない非収容位置との間でスライド可能であり、上部が開口している洗浄槽と、
前記筐体に固定されており、前記洗浄槽が前記収容位置に収容されたときに前記洗浄槽の上部開口を覆うように配置されている固定蓋と、を備え、
前記洗浄槽が前記収容位置に収容されているときに、前記洗浄槽の上部開口の周縁の少なくとも一部に沿って、前記洗浄槽と前記固定蓋のうちの一方に設けられている突起が、他方に設けられている溝に入り込む食器洗浄機。
【請求項２】
前記突起は、前記洗浄槽がスライドする方向に沿って延びており、
前記溝は、前記洗浄槽がスライドする方向に沿って延びており
前記洗浄槽がスライドするときに、前記突起が前記溝内を移動する請求項１に記載の食器洗浄機。
【請求項３】
前記洗浄槽に設けられている前記突起又は前記溝が、前記洗浄槽内に突出している請求項１又は２に記載の食器洗浄機。
【請求項４】
前記洗浄槽は、前記突起又は前記溝を含む上側部分と底壁を含む下側部分が接合して構成されている請求項３に記載の食器洗浄機。
【請求項５】
前記突起は、第１側面と、第２側面と、前記第１側面と前記第２側面の間にある頂面と、を含んでおり、
前記溝は、第３側面と、第４側面と、前記第３側面と前記第４側面の間にある底面と、を含んでおり、
前記洗浄槽が前記収容位置に収容されているときに、前記第１側面と前記第３側面が対向し、前記第２側面と前記第４側面が対向し、前記頂面と前記底面が対向し、
前記洗浄槽が前記収容位置に収容されているときに、前記第１側面と前記第３側面の間、前記第２側面と前記第４側面の間、及び前記頂面と前記底面の間のうちの少なくともいずれか１つが閉塞する請求項１〜４のいずれか一項に記載の食器洗浄機。
【発明の詳細な説明】
【技術分野】
【０００１】
本明細書で開示される技術は、食器洗浄機に関する。
【背景技術】
【０００２】
引き出し式の食器洗浄機が開発されており、その一例が特許文献１に開示されている。この種の食器洗浄機は、筐体、上部が開口している箱状の洗浄槽、洗浄槽の上部開口を閉塞する蓋、及び蓋を筐体内で上下に昇降させる昇降機構を備えている。この種の食器洗浄機では、洗浄槽が筐体内の収容位置に収容されたときに、昇降機構によって下降した蓋が洗浄槽の上部開口を閉塞する。昇降機構を利用して洗浄槽の上面と蓋の下面を蓋の下側のパッキンを介して圧接させることで、洗浄槽からの洗浄水の水漏れが防止される。
【先行技術文献】
【特許文献】
【０００３】
【特許文献１】特開２００１−８７１９９号公報
【発明の概要】
【発明が解決しようとする課題】
【０００４】
部品点数を削減するために、昇降機構を用いない食器洗浄機の開発が望まれている。本明細書は、洗浄槽と蓋の間に特徴的な構造を設けることにより、昇降機構を用いることなく、洗浄槽からの洗浄水の水漏れが防止される食器洗浄機を提供することを目的としている。
【課題を解決するための手段】
【０００５】
本明細書で開示される食器洗浄機は、筐体、洗浄槽、及び固定蓋を備えている。洗浄槽は、筐体に収容されている収容位置と収容されていない非収容位置との間でスライド可能であり、上部が開口している箱状である。固定蓋は、筐体に固定されており、洗浄槽が収容位置に収容されたときに洗浄槽の上部開口を覆うように配置されている。洗浄槽が収容位置に収容されているときに、洗浄槽の上部開口の周縁の少なくとも一部に沿って、洗浄槽と固定蓋のうちの一方に設けられている突起が、他方に設けられている溝に入り込む。
【０００６】
上記態様の食器洗浄機では、固定蓋が筐体に固定されており、昇降機構を利用しない簡易な構成である。さらに、洗浄槽が収容位置に収容されているときに、洗浄槽の上部開口の周縁の少なくとも一部に沿って、突起が溝に入り込む状態を形成する。突起が溝に入り込むと、洗浄槽内から洗浄槽外に向けて観測したときに、突起と溝が対向する対向面が折り返すような形態となっており、洗浄槽からの洗浄水の水漏れを構造的に防止することができる。上記態様の食器洗浄機は、昇降機構を用いることなく、洗浄槽からの洗浄水の水漏れを防止することができる。
【図面の簡単な説明】
【０００７】
【図１】洗浄槽が筐体に収容された状態を示す。
【図２】洗浄槽が筐体から引き出された状態を示す。
【図３】洗浄槽を前上方から見た分解斜視図を示す。
【図４】洗浄槽を後上方から見た分解斜視図を示す。
【図５】固定蓋を前上方から見た分解斜視図を示す。
【図６】固定蓋を後上方から見た分解斜視図を示す。
【図７】固定蓋を前下方から見た分解斜視図を示す。
【図８】図１のVIII-VIII線（前後方向に平行であり、食器洗浄機の中心を通る線）に対応した断面図を示す。
【図９】図１のIX-IX線（左右方向に平行であり、食器洗浄機の中心を通る線）に対応した断面図を示す。
【図１０】図１のX-X線（前後方向に平行であり、水漏れ防止構造７を通る線）に対応した断面図を示す。
【図１１】水漏れ防止構造の拡大斜視図を示す。
【図１２】水漏れ防止構造の変形例の一例の断面図を示す（洗浄槽が収容された状態）。
【図１３】水漏れ防止構造の変形例の一例の断面図を示す（洗浄槽が引き出された状態）。
【図１４】水漏れ防止構造の変形例の一例の断面図を示す（洗浄槽がスライド移動する途中の状態）。
【図１５】水漏れ防止構造の変形例の他の一例の拡大斜視図を示す。
【図１６】水漏れ防止構造の変形例の他の一例の拡大斜視図を示す。
【図１７】水漏れ防止構造の変形例の他の一例の断面図を示す。
【図１８】水漏れ防止構造の変形例の他の一例の断面図を示す。
【図１９】水漏れ防止構造の変形例の他の一例の断面図を示す。
【発明を実施するための形態】
【０００８】
以下、本明細書で開示される技術の特徴を整理する。なお、以下に記す事項は、各々単独で技術的な有用性を有している。
（特徴１）本明細書で開示される食器洗浄機は、筐体、洗浄槽、及び固定蓋を備えている。筐体は、少なくとも前部が開口しており、その開口を通して洗浄槽が引き出され又は収容可能に構成されていてもよい。洗浄槽は、筐体の前部開口を通って筐体に収容されている収容位置と収容されていない非収容位置との間でスライド可能であってもよい。洗浄槽は、上部が開口している箱状である。固定蓋は、筐体に固定されており、筐体に対して相対移動しない。即ち、固定蓋には昇降機構が取付けられていない。固定蓋は、筐体とは別体の部材で構成されていてもよく、筐体の一部として筐体と一体で構成されていてもよい。また、固定蓋は、洗浄槽が収容位置に収容されたときに洗浄槽の上部開口を覆うように配置されている。本明細書で開示される食器洗浄機では、洗浄槽が収容位置に収容されているときに、洗浄槽の上部開口の周縁の少なくとも一部に沿って、洗浄槽と固定蓋のうちの一方に設けられている突起が、他方に設けられている溝に入り込む。例えば、洗浄槽に突起が設けられている場合、固定蓋には溝が設けられており、洗浄槽に溝が設けられている場合、固定蓋には突起が設けられている。これら突起又は溝は、対応する洗浄槽又は固定蓋とは別体の部材で構成されていてもよく、対応する洗浄槽又は固定蓋の一部として一体で構成されていてもよい。突起及び溝は、洗浄槽の上部開口の周縁の少なくとも一部に設けられていればよく、例えば、洗浄槽の側壁に対応してのみ設けられていてもよく、洗浄槽の前壁に対応してのみ設けられていてもよく、それら双方に対応して設けられていてもよい。ここで、突起には、断面が矩形状のものに限らず、断面が三角形状、半円形状、又はその他の形状のものが含まれる。
（特徴２）突起は、洗浄槽がスライドする方向に沿って延びていてもよい。溝も、洗浄槽がスライドする方向に沿って延びていてもよい。この態様では、洗浄槽がスライドするときに、突起が溝内を移動する。この態様によると、洗浄槽のスライド移動を許容することができる。
（特徴３）洗浄槽に設けられている突起又は溝が、洗浄槽内に突出していてもよい。この態様によると、突起又は溝の存在自体が水返しの機能を有し、水漏れを効果的に防止することができる。
（特徴４）特徴３において、洗浄槽は、突起又は溝を含む上側部分と底壁を含む下側部分が接合して構成されていてもよい。洗浄槽を分割構成とすることで、突起又は溝が洗浄槽内に突出していても、突起又は溝と洗浄槽を一体成型することが可能である。
（特徴５）突起は、第１側面と、第２側面と、第１側面と第２側面の間にある頂面を含んでいてもよい。溝は、第３側面と、第４側面と、第３側面と第４側面の間にある底面を含んでいてもよい。この場合、洗浄槽が収容位置に収容されているときに、第１側面と第３側面が対向し、第２側面と第４側面が対向し、頂面と底面が対向する。さらに、洗浄槽が収容位置に収容されているときに、第１側面と第３側面の間、第２側面と第４側面の間、及び頂面と底面の間のうちの少なくともいずれか１つが閉塞するのが望ましい。閉塞する場合は、２つの面が弾性体のシール部材を介して閉塞してもよく、シール部材を介さずに閉塞してもよい。この態様によると、突起と溝による水漏れ防止構造が存在する部分において、洗浄槽と固定蓋が閉塞されるので、水漏れを効果的に防止することができる。
（特徴６）第１側面と第３側面が閉塞する場合、洗浄槽がスライドする方向に対して第１側面及び第３側面が傾斜するとともに平行であってもよい。第２側面と第４側面が閉塞する場合、洗浄槽がスライドする方向に対して第２側面及び第４側面が傾斜するとともに平行であってもよい。同様に、頂面と底面が閉塞する場合、洗浄槽がスライドする方向に対して頂面及び底面が傾斜するとともに平行であってもよい。この態様によると、突起と溝が干渉することなく、洗浄槽のスライド移動を許容し、さらに、洗浄槽が収容位置に収容されたときに２つの面が閉塞することができる。
【実施例】
【０００９】
図１及び図２に示されるように、引き出し式の食器洗浄機１は、扉２、筐体３、洗浄槽４、及び固定蓋５を備えている。扉２は、洗浄槽４の前壁に固定されており、操作パネル等（図示省略）が設けられている。筐体３は、システムキッチンに取付け可能に構成されており、前部及び上部が開口した形態である。洗浄槽４は、上部が開口する箱状の形態であり、内部に食器類を載置するための食器かごが取付け可能に構成されている。洗浄槽４は、筐体３の底面に設けられたスライド機構に沿って前後方向にスライド移動可能であり、筐体３に収容されている収容位置と収容されていない非収容位置との間で移動する。固定蓋５は、筐体３の上部を覆うように筐体３に固定されている。固定蓋５は、例えば、ねじ等の締結部材を介して筐体３に固定されている。
【００１０】
図３，４，８，９，１０に示されるように、洗浄槽４は、前壁４ａ、一対の側壁４ｂ、後壁４ｃ、及び底壁４ｄで構成されている。前壁４ａと後壁４ｃは、洗浄槽４の内部空間を介して対向する。前壁４ａは一対の側壁４ｂに接するようにその間に延設されており、後壁４ｃも一対の側壁４ｂに接するようにその間に延設されている。一対の側壁４ｂは、洗浄槽４の内部空間を介して対向するとともに平行である。また、一対の側壁４ｂは、洗浄槽４がスライドする方向に対しても平行である。底壁４ｄは、前壁４ａと一対の側壁４ｂと後壁４ｃに接するように延設されている。
【００１１】
図３及び４に示されるように、洗浄槽４の前壁４ａ及び側壁４ｂの上端部には、洗浄槽４と一体成型されている突出部６ａ，７ａが設けられている。突出部６ａ，７ａは、洗浄槽４の前壁４ａ及び側壁４ｂの上端部から洗浄槽４内に向けて所定長さだけ突出するとともに、前壁４ａ及び側壁４ｂの上端部の全範囲に設けられている。突出部６ａ，７ａは、洗浄槽４の前壁４ａ及び側壁４ｂに対して突起を形成する。ここで、突出部６ａ，７ａのうちの前壁４ａに設けられているものを前壁突出部６ａと称し、側壁４ｂに設けられているものを側壁突出部７ａと称する。前壁突出部６ａは、洗浄槽４の前壁４ａの上端部から洗浄槽４内に向けて突出するとともに、左右の側壁突出部７ａの間を延びている。側壁突出部７ａは、洗浄槽４の側壁４ｂの上端部から洗浄槽４内に向けて突出するとともに、前壁突出部６ａと後方突出部８ａ（後述する）の間を延びている。洗浄槽４の後壁４ｃは、前壁４ａ及び側壁４ｂよりも高さが低く構成されている。このため、洗浄槽４は、後壁４ｃの一部が開放した形態を有する。この開放部分は、洗浄槽４がスライド移動したときに、固定蓋５の裏面に設けられている溝形成部（後述する）が通過するための部分である。洗浄槽４には、開放部分の一部を取り囲むように、洗浄槽４と一体成型されている後方突出部８ａが設けられている。後方突出部８ａは、前壁４ａと側壁４ｂと後壁４ｃの一部から後方に向けて所定長さだけ突出する。
【００１２】
図８，９，１０に示されるように、洗浄槽４は、前壁４ａと側壁４ｂと後壁４ｃの大部分を含む筒状部分と底壁４ｄを含む皿状部分の２つの部材で構成されている。筒状部分は、例えば射出成型等によって一体成型される。皿状部分も、例えば射出成型等によって一体成型される。洗浄槽４は、これら筒状部分と皿状部分を、例えばワイヤ溶着等によって接合することで形成される。上記したように、洗浄槽４には、洗浄槽４内に向けて突出する突出部６ａ，７ａが設けられているが、筒状部分と皿状部分の分割構成としたことにより、突出部６ａ，７ａを一体成型することが可能になっている。
【００１３】
図５，６，７に示されるように、固定蓋５の裏面には、固定蓋５と一体成型されている溝形成部６ｂ，７ｂと後方壁部８ｂが設けられている。図８に示されるように、固定蓋５の裏面の前方に設けられている前方溝形成部６ｂは、断面Ｌ字形状であり、固定蓋５の裏面とともに溝を形成する。前方溝形成部６ｂの溝は、前方に向けて開放するとともに、左右方向に延びている。前方溝形成部６ｂの溝は、洗浄槽４が収容位置に収容されている状態において、洗浄槽４に設けられている前壁突出部６ａが入り込むように構成されている。洗浄槽４に設けられている前壁突出部６ａと固定蓋５に設けられている前方溝形成部６ｂは、洗浄槽４内の洗浄水が前方から水漏れするのを防止する水漏れ防止構造６である。
【００１４】
図９及び１０に示されるように、固定蓋５の裏面の側方に設けられている側方溝形成部７ｂも、断面Ｌ字形状であり、固定蓋５の裏面とともに溝を形成する。側方溝形成部７ｂの溝は、側方に向けて開放するとともに、前後方向に延びている。洗浄槽４がスライド移動するときに、洗浄槽４に設けられている側壁突出部７ａが側方溝形成部７ｂの溝内を移動する。この態様により、洗浄槽４が収容位置と非収容位置の間をスライド移動することが許容される。側方溝形成部７ｂの溝は、洗浄槽４が収容位置に収容されている状態において、洗浄槽４に設けられている側壁突出部７ａが入り込むように構成されている。洗浄槽４に設けられている側壁突出部７ａと固定蓋５に設けられている側方溝形成部７ｂは、洗浄槽４内の洗浄水が側方から水漏れするのを防止する水漏れ防止構造７である。
【００１５】
図８及び図１０に示されるように、固定蓋５の裏面の後方に設けられている後方壁部８ｂは、板状であり、固定蓋５の裏面から下方に向けて突出するととともに、左右方向に延びている。後方壁部８ｂは、洗浄槽４に設けられている後方突出部８ａの存在範囲よりも大きく構成されている。これにより、洗浄槽４が収容位置に収容されている状態において、後方壁部８ｂと後方突出部８ａが当接し、後方突出部８ａで囲まれる開放部分が後方壁部８ｂによって閉塞される。後方突出部８ａと後方壁部８ｂは、洗浄槽４内の洗浄水が後方から水漏れするのを防止する水漏れ防止構造８である。なお、後方壁部８ｂには、後方突出部８ａと当接する部分に弾性体のシール部材が設けられているのが望ましい。
【００１６】
ここで、図１１を参照し、洗浄槽４の側壁４ｂに対応して設けられている水漏れ防止構造７を詳細する。なお、洗浄槽４の前壁４ａに対応して設けられている水漏れ防止構造６も、基本的な構成は同一である。
【００１７】
洗浄槽４の側壁４ｂに設けられている側壁突出部７ａは、断面矩形状である。側壁突出部７ａが形成する突起は、第１側面Ｓ１、第２側面Ｓ２、及び第１側面Ｓ１と第２側面Ｓ２の間を延びている頂面Ｓｔを含む。第１側面Ｓ１、第２側面Ｓ２、及び頂面Ｓｔはいずれも、前後方向（洗浄槽４がスライドする方向）に沿って延びている。固定蓋５の裏面に設けられている側方溝形成部７ｂは、断面Ｌ字形状である。側方溝形成部７ｂが形成する溝は、第３側面Ｓ３、第４側面Ｓ４、及び第３側面Ｓ３と第４側面Ｓ４の間を延びている底面Ｓｂを含む。第３側面Ｓ３は、固定蓋５の裏面の一部を利用している。このため、側方溝形成部７ｂと固定蓋５によって溝が形成される。第３側面Ｓ３、第４側面Ｓ４、及び底面Ｓｂはいずれも、前後方向に沿って延びている。
【００１８】
洗浄槽４が収容位置に収容されている状態において、側壁突出部７ａの突起が側方溝形成部７ｂの溝内に入り込んでいることから、第１側面Ｓ１と第３側面Ｓ３が対向し、第２側面Ｓ２と第４側面Ｓ４が対向し、頂面Ｓｔと底面Ｓｂが対向する。これらの対向面を洗浄槽４内から洗浄槽４外に向けて観測すると、第２側面Ｓ２と第４側面Ｓ４の対向面、頂面Ｓｔと底面Ｓｂの対向面、第１側面Ｓ１と第３側面Ｓ３の対向面がこの順で配置され、これらの対向面が折り返すような形態となっている。このような対向面の構造により、洗浄槽４内の略中央に設置される噴射ノズル（図示省略）から噴射される洗浄水は、その対向面に沿って洗浄槽４内から洗浄槽４外に漏れ出ることが防止される。特に、洗浄槽４内から洗浄槽４外に向けて観測したときに、洗浄槽４内に開放口を有する第２側面Ｓ２と第４側面Ｓ４の対向面が、噴射ノズルから噴射される洗浄水の噴射方向に対して、その開放口から概ね逆向きに延びており、洗浄水の水漏れが効果的に防止されている。さらに、洗浄槽４内から洗浄槽４外に向けて観測したときに、頂面Ｓｔと底面Ｓｂの対向面が上向きに延びており、これによっても洗浄水の水漏れが効果的に防止されている。
【００１９】
洗浄槽４が収容位置に配置されている状態において、第１側面Ｓ１と第３側面Ｓ３の間、第２側面Ｓ２と第４側面Ｓ４の間、及び頂面Ｓｔと底面Ｓｂの間のうちの少なくともいずれか１つが当接するように構成されていてもよい。例えば、図１２に示すように、第２側面Ｓ２と第４側面Ｓ４が当接するように構成されていてもよい。この場合、側壁突出部７ａの第２側面Ｓ２が前後方向（洗浄槽４がスライドする方向である）に対して傾斜しており、その傾斜に併せて、側方溝形成部７ｂの第４側面Ｓ４も前後方向に対して傾斜している。また、側壁突出部７ａの第２側面Ｓ２と側方溝形成部７ｂの第４側面Ｓ４が平行である。
【００２０】
図１３及び図１４に示されるように、このような形態であると、洗浄槽４をスライド移動させるときに、側壁突出部７ａの第２側面Ｓ２と側方溝形成部７ｂの第４側面Ｓ４の干渉が防止されるとともに、洗浄槽４が収容位置に配置されたときに側壁突出部７ａの第２側面Ｓ２と側方溝形成部７ｂの第４側面Ｓ４が当接する。側壁突出部７ａの第２側面Ｓ２と側方溝形成部７ｂの第４側面Ｓ４が当接することで、より効果的に水漏れを防止することができ、水蒸気の漏れも防止することができる。特に、洗浄槽４内から洗浄槽４外に向けて観測したときに、洗浄槽４の内部空間に近い側の対向面、即ち、第２側面Ｓ２と第４側面Ｓ４の対向面が当接することで、洗浄水の水漏れを効果的に防止することができる。
【００２１】
また、側壁突出部７ａの第２側面Ｓ２と側方溝形成部７ｂの第４側面Ｓ４の間には、弾性体のシール部材が設けられていない。水漏れ防止構造７の特徴的な形態により、シール部材が設けられていなくても、水漏れを防止することができる。このため、本実施例の食器洗浄機１では、構造が簡単化されており、製造コストが低減される。
【００２２】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００２３】
例えば、図１５に示すように、水漏れ防止構造７の溝形成部７ｂの端部に下垂部７ｃが設けられていてもよい。下垂部７ｃは、洗浄槽４の側壁４ｂに対向する。下垂部７ｃが設けられていることにより、より効果的に水漏れを防止することができる。
【００２４】
また、図１６に示すように、側壁４ｂの上端部から上方に向けて突出する水垂れ防止壁７ｄが設けられていてもよい。水垂れ防止壁７ｄは、突出部７ａに上面に溜まった水が洗浄槽４外に垂れるのを防止する。水垂れ防止壁７ｄが設けられていることにより、より効果的に水漏れを防止することができる。
【００２５】
上記実施例の食器洗浄機１では、洗浄槽４に突出部が設けられ、固定蓋５に溝形成部が設けられていた。この例に代えて、図１７に示すように、洗浄槽４に溝形成部が設けられており、固定蓋５に突出部が設けられていてもよい。
【００２６】
また、図１８に示すように、突出部と溝形成部が水平方向に配置されるのに代えて、垂直方向に配置されていてもよい。
【００２７】
また、図１９に示すように、突出部と溝形成部が洗浄槽４内に設けられているのに代えて、洗浄槽４外に設けられていてもよい。
【００２８】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００２９】
１：食器洗浄機
２：扉
３：筐体
４：洗浄槽
４ａ：前壁
４ｂ：側壁
４ｃ：後壁
４ｄ：底壁
５：固定蓋
６，７，８：水漏れ防止構造
６ａ，７ａ：突出部
６ｂ，７ｂ：溝形成部
【図１】
2014046149.tif 000003
【図２】
2014046149.tif 000004
【図３】
2014046149.tif 000005
【図４】
2014046149.tif 000006
【図５】
2014046149.tif 000007
【図６】
2014046149.tif 000008
【図７】
2014046149.tif 000009
【図８】
2014046149.tif 000010
【図９】
2014046149.tif 000011
【図１０】
2014046149.tif 000012
【図１１】
2014046149.tif 000013
【図１２】
2014046149.tif 000014
【図１３】
2014046149.tif 000015
【図１４】
2014046149.tif 000016
【図１５】
2014046149.tif 000017
【図１６】
2014046149.tif 000018
【図１７】
2014046149.tif 000019
【図１８】
2014046149.tif 000020
【図１９】
2014046149.tif 000021